(57)【特許請求の範囲】
【請求項１】
一種以上一つ以上の第１の記憶媒体から読み出されたコンテンツが前記第１の記憶媒体を識別可能な情報と関連付けて保存されている第２の記憶媒体から、所定のコンテンツを任意の第３の記憶媒体に復元する復元用転送装置であって、前記第３の記憶媒体を識別可能な識別情報を抽出する抽出手段と、復元したいコンテンツを選択するためのユーザインタフェースと、前記第２の記憶媒体に保存された複数の前記コンテンツの中から、前記抽出手段により抽出された識別情報と同一の識別情報を関連付けて保存された前記コンテンツを検索し、検索した前記コンテンツをユーザに明示し、明示した前記コンテンツの中から、前記ユーザインタフェースから入力された情報を利用して特定の復元コンテンツを選択する検索手段とを備えたことを特徴とする復元用転送装置。
【請求項２】
一種以上一つ以上の第１の記憶媒体から読み出されたコンテンツが前記第１の記憶媒体を識別可能な情報と関連付けて保存されている第２の記憶媒体から、所定のコンテンツを任意の第３の記憶媒体に復元する復元用転送装置であって、復元したいコンテンツを選択するためのユーザインタフェースと、前記ユーザインタフェースから入力された情報を利用して、前記第２の記憶媒体に保存された複数のコンテンツから特定の復元コンテンツを検索する検索手段と、前記検索手段による検索結果に基づいて、前記第３の記憶媒体として適当な媒体を指定する指定手段とを備えたことを特徴とする復元用転送装置。
【請求項３】
前記請求項１又は２に記載の復元用転送装置において、前記第１の記憶媒体を識別可能な情報として、前記第１の記憶媒体の種類を判別する判別手段を備えたことを特徴とする復元用転送装置。
【請求項４】
前記請求項１又は２に記載の復元用転送装置において、前記第１の記憶媒体を識別可能な情報として、前記第１の記憶媒体に記録されている固有の識別子を読み取る読取手段を備えたことを特徴とする復元用転送装置。
【請求項５】
前記請求項１又は２に記載の復元用転送装置において、前記第１の記憶媒体を識別可能な情報として、前記第１の記憶媒体から読み出されたコンテンツを前記第２の記憶媒体に保存する際に生成され、前記第１の記憶媒体に記録された識別情報を判別する判別手段を備えたことを特徴とする復元用転送装置。
【請求項６】
前記請求項１から５のいずれかに記載の復元用転送装置において、前記第１の記憶媒体は、携帯端末に内蔵されているものであることを特徴とする復元用転送装置。
【発明の詳細な説明】
【０００１】
【発明の属する技術分野】
本発明は、記録媒体に含まれる複数のコンテンツから所望の復元コンテンツを検索して転送する復元用転送装置に関し、特にコンテンツの復元作業を支援する復元用転送装置に関するものである。
【０００２】
【従来の技術】
従来、リムーバブルメディア等のバックアップを取るには、コンピュータに接続したリーダーなどをコンピュータから操作してコンテンツを保存し、その管理は、ユーザもしくはアプリケーションに依存する。また、そのコンテンツはファイル単位で扱うことが一般的である。
【０００３】
記憶媒体の識別情報を用いたバックアップ装置としては、例えば次のようなＭＯディスクドライブ(DTST-H640/アイオーデータ製)が市販されている。このディスクドライブは、PCMCIA Type-IIのスロットを具備し、リムーバブルメディアとして認識できるPCカードの内容を、前記ディスクドライブ上に設置されたボタンを操作することで、MOディスクにバックアップすることができる。
【０００４】
また、PCカードアダプタを利用することで、メモリースティックなどの半導体メディアにも対応している。コンテンツは一つのフォルダにファイル単位で保存され、フォルダ名に元媒体の容量と通し番号が付けられるよう実装されている。
【０００５】
【発明が解決しようとする課題】
しかしながら、上述した従来のバックアップ装置(DTST-H640)は、装置単体での復元機能を持っていない。また、コンピュータに接続した場合でも、ユーザがあるメディアにコンテンツを復元する際には、コンテンツの内容、もしくはフォルダ名に記載されている容量から目的のコンテンツを検索する必要がある。
【０００６】
さらに、あるコンテンツを復元したい場合にも、コンテンツの内容、もしくはフォルダ名に記載されている容量をユーザの記憶と照らし合わせて、適当なメディアを判断する必要がある。
【０００７】
そしてまた、コンテンツ保存時に記録される媒体の情報は、媒体の容量のみであり、これだけでは媒体を区別するには不充分である。より多くの情報があれば、自動で適当なコンテンツを絞り込んでユーザに提示することができるはずである。
【０００８】
本発明は、このような課題に鑑みてなされたものであり、記録媒体に保存されているコンテンツを復元する際に、記録媒体を識別可能な情報を利用することで、コンテンツユーザの操作を軽減するとともに、個人情報を保護して複製を制限する機能を実現する復元用転送装置を提供するものである。
【０００９】
【課題を解決するための手段】
本願の第１の発明は、一種以上一つ以上の第１の記憶媒体から読み出されたコンテンツが前記第１の記憶媒体を識別可能な情報と関連付けて保存されている第２の記録媒体から、所定のコンテンツを任意の第３の記憶媒体に復元する復元用転送装置であって、前記第３の記憶媒体を識別可能な識別情報を抽出する抽出手段と、前記抽出手段により抽出された識別情報を利用して、前記第２の記憶媒体に保存された複数のコンテンツから特定の復元コンテンツを検索する検索手段とを備えたことを特徴とする。
【００１０】
本願の第２の発明は、復元したいコンテンツを選択するためのユーザインタフェースを備え、前記検索手段が、前記抽出手段により抽出された識別情報と前記ユーザインタフェースから入力された情報とを利用して、前記第２の記憶媒体に保存された複数のコンテンツから特定の復元コンテンツを検索することを特徴とする。
【００１１】
本願の第３の発明は、一種以上一つ以上の第１の記憶媒体から読み出されたコンテンツが前記第１の記憶媒体を識別可能な情報と関連付けて保存されている第２の記録媒体から、所定のコンテンツを任意の第３の記憶媒体に復元する復元用転送装置であって、復元したいコンテンツを選択するためのユーザインタフェースと、前記ユーザインタフェースから入力された情報を利用して、前記第２の記憶媒体に保存された複数のコンテンツから特定の復元コンテンツを検索する検索手段と、前記検索手段による検索結果に基づいて、前記第３の記憶媒体として適当な媒体を指定する指定手段とを備えたことを特徴とする。
【００１２】
本願の第４の発明は、前記第１の記憶媒体を識別可能な情報として、前記第１の記憶媒体の種類を判別する判別手段を備えたことを特徴とする。
【００１３】
本願の第５の発明は、前記第１の記憶媒体を識別可能な情報として、前記第１の記憶媒体に記録されている固有の識別子を読み取る読取手段を備えたことを特徴とする。
【００１４】
本願の第６の発明は、前記第１の記憶媒体を識別可能な情報として、前記第１の記憶媒体から読み出されたコンテンツを前記第２の記録媒体に保存する際に生成され、前記第１の記録媒体に記録された識別情報を判別する判別手段を備えたことを特徴とする。
【００１５】
本願の第７の発明は、前記第１の記憶媒体が、携帯端末に内蔵されているものであることを特徴とする。
【００１６】
【発明の実施の形態】
以下、本発明の第１実施形態について、図１乃至図８とともに説明する。尚、ここでの転送とは、転送元と転送先に同一のものを複製する場合と、転送元のコンテンツを削除して移動する場合との両方を意味するものとする。
【００１７】
図１はコンテンツ保存用転送装置の一例を示す概略構成図であり、第１の記憶媒体１０１のコンテンツを第２の記憶媒体１０３に保存する転送装置１０２の構成を示している。
【００１８】
インタフェース１０４，１０５は、それぞれの記憶媒体１０１，１０５の種類に対応している。尚、インタフェースの個数は、複数種の媒体に対応するために拡張することが可能である。
【００１９】
第１の記憶媒体１０１の識別情報は、インタフェース１０４を介して媒体識別情報取得部１０６で抽出され、情報関連付け部１０７にてインタフェース１０４を介して読み出されたコンテンツと関連付けされた後、インタフェース１０５を介して第２の記憶媒体１０３に書き込まれる。
【００２０】
ここで、第１の記憶媒体１０１は、例えばメモリスティック、マルチメディアカード、スマートメディア、コンパクトフラッシュ（登録商標）などの半導体リムーバブルメディアやフレキシブルディスクなどのリムーバブルディスク、もしくはメモリ部を含む携帯電話などの携帯情報機器であるが、バックアップを必要とする記憶媒体であれば何でも良く、これに限定されるものではない。
【００２１】
また、第１の記憶媒体１０１の識別情報としては、例えば記憶媒体の種類、識別番号、製造番号、製造年月日、容量や携帯電話の自機電話番号、保存用転送装置により生成され第１の記録媒体１０１に書き込まれた識別番号などを利用することが可能であり、さらにそれらを組み合わせて用いても良い。
【００２２】
さらに、第２の記憶媒体１０３は、例えば第１の記憶媒体１０１で想定する記憶媒体、もしくはハードディスクなどの充分に容量の大きいバックアップに適した記憶媒体を用いるものとする。
【００２３】
図２は本実施形態に係るコンテンツ復元用転送装置の一例を示す概略構成図であり、第２の記憶媒体１０３（図１の第２の記憶媒体１０３と等価）に保存されているコンテンツを第３の記憶媒体１０８に復元する転送装置１０９の構成を示している。
【００２４】
インタフェース１１１，１１２は、それぞれの記憶媒体１０８，１１０の種類に対応している。情報検索部１１４は、インタフェース１１１を介して媒体識別情報取得部１１３で抽出された第３の記憶媒体１０８の識別情報を用いて、復元コンテンツの検索を行う。
【００２５】
その際に、複数のコンテンツから所望のコンテンツをユーザに選択させる手段としてユーザインタフェース１１５を備えている。但し、複製制限などの機能で、対応するコンテンツが１つしか保存できない場合、ユーザが選択する必要はないので、ユーザインタフェース１１５は必要ない。
【００２６】
以上のように、復元先記憶媒体１０８を識別することができるため、適当なコンテンツを明示する検索の支援、不適当なコンテンツを選択させない個人情報の保護、複製の制限などの機能を実現することが可能である。選択されたコンテンツは、インタフェース１１２及びインタフェース１１１を介して第３の記憶媒体１０８に復元される。
【００２７】
尚、図１及び図２とともに上述したものは、コンテンツ保存用転送装置とコンテンツ復元用転送装置とを個別に設けているが、図３に示すように、図１のコンテンツ保存用転送装置と図２のコンテンツ復元用転送装置とを組み合わせた複合形態の転送装置１１７も実現可能であることは言うまでもない。
【００２８】
この場合、インターフェース１０４とインターフェース１１１、媒体識別情報取得部１０６と媒体識別情報取得部１１３は、それぞれ兼用して構成することができる。また、第２の記憶媒体１０３は装置内に内蔵していても良い。
【００２９】
次に、上述した保存用転送装置及び復元用転送装置の動作について、図４及び図５のフローチャートを用いて説明する。
【００３０】
まず、保存用転送装置は、図４に示すように、保存元の第１の記録媒体１０１が挿入されているかを判断する（ステップ１０１）。新たに挿入された場合、その媒体識別情報を判断し（ステップ１０２）、コンテンツの情報も読み出す（ステップ１０３）。
【００３１】
例えば、第１の記録媒体１０１の情報として、媒体の種類、媒体の製造番号、媒体の容量などを読み出すとともに、コンテンツの情報として最終更新日、使用容量、ファイル数などを読み出す。
【００３２】
次に、保存先の第２の記録媒体１０３内に適当なフォルダを作成し（ステップ１０４）、保存元の第１の記録媒体１０１の情報をそのフォルダ内に書き出す（ステップ１０５）。例えば、保存日時をフォルダ名とし、記録媒体１０１の製造番号などを記録したテキストファイルを生成、記録する。
【００３３】
そして、そのフォルダ内に保存する記録媒体１０１内のコンテンツを転送する（ステップ１０６）。保存方法は、例えばそのままの構成で保存する方法、媒体内の全ファイルを結合して１つのファイルにする方法などがある。
【００３４】
一方、復元用転送装置は、図５に示すように、復元先の第３の記録媒体１０８が挿入されているかを検知し（ステップ１０７）、新たに挿入された場合、その媒体識別情報を判断する（ステップ１０８）。
【００３５】
また、保存先（復元元）の第２の記録媒体１０３内に保存されているコンテンツの媒体情報リストを作成して（ステップ１０９）、復元先媒体１０８の媒体識別情報と比較して、復元コンテンツとして適当であるコンテンツを優先的にユーザに明示し（ステップ１１０）、ユーザの選択を促す（ステップ１１１）。
【００３６】
そして、ユーザにより選択されたコンテンツを復元先の第３の記録媒体１０８に転送する（ステップ１１２）。尚、図４及び図５とともに上述した処理流れは、以下に示す実施形態においても適用することができる。
【００３７】
さらに、図１に示した保存用転送装置１０２にユーザインタフェース１２５を装備して、図６に示すような保存用転送装置１２２としても良い。すなわち、ユーザインタフェース１２５を情報関連付け部１０７と連携させることによって、コンテンツ毎に検索の優先順位、個人情報の保護の有無、複製の制限などを設定する機能を実現することができる。
【００３８】
一例として、図７にコンテンツ保存時のユーザインタフェース１２５のディスプレイ遷移の例を示す。まず、初めの２画面でコンテンツの検索性能を上げるため、ユーザ名やコンテンツの内容などのコンテンツの付加情報を入力する。
【００３９】
そして、最後の画面でコンテンツの復元条件を指定する。ここでは、復元できる媒体を種類で限定したり、一つの媒体に特定したり、パスワードで保護したり、複製を禁止するなど様々な設定が考えられる。
【００４０】
また、図８にコンテンツ復元作業の遷移の例を示す。多量のメモリースティックから保存されたコンテンツより必要とするコンテンツを検索するために、必要とするコンテンツの内容を入力する。
【００４１】
絞り込まれたコンテンツからユーザは必要とするコンテンツを選択する。そのコンテンツが要パスワードとして保存された場合、パスワードの入力が要求される。
【００４２】
次に、本発明の第２実施形態として、媒体種類判別機能付き転送装置について、図９乃至図１３とともに説明するが、上記第１実施形態と同一部分には同一符号を付し、その説明は省略する。
【００４３】
ここで、図９及び図１０は本実施形態の転送装置のシステム構成を示す概略構成図、図１１は本実施形態で用いる媒体種別情報の例を示す説明図、図１２は本実施形態において第２の記憶媒体に保存される情報の例を示す説明図、図１３は本実施形態における復元時のユーザインタフェースの例を示す説明図である。
【００４４】
本実施形態に係る保存用転送装置２０２は、図９に示すように、複数の第１の記憶媒体１０１の種類に対応するために、複数のインタフェース２０４ａ，２０４ｂを備えるとともに、このインタフェース２０４ａ，２０４ｂより媒体種別識別情報を取得する媒体種別情報取得部２０６を備えている。
【００４５】
ここで、第１の記憶媒体１０１を対応するインタフェース２０４ａに挿入すると、このインタフェース２０４ａから媒体種別情報取得部２０６に信号が送られる。同時に、インタフェース２０４ａを介して第１の記憶媒体１０１からコンテンツを読み出し、情報関連付け部１０７に送信する。
【００４６】
媒体種別情報取得部２０６は、種別固有の情報、例えば図１１に示すように、メモリスティックならば01、マルチメディアカードならば02といった媒体種別に固有の番号を情報関連付け部１０７に送信する。
【００４７】
情報関連付け部１０７では、種別固有情報とコンテンツとを関連付けて、インタフェース１０５に送信し、このインタフェース１０５を介して第２の記憶媒体１０３に書き込む。
【００４８】
例えば図１２に示すように、保存を行う毎にフォルダを生成し、そのフォルダ内に前記種別固有番号などの媒体情報を記録した媒体情報ファイルを書き込むとともに、第１の記録媒体１０１内のコンテンツを転送する。
【００４９】
また、媒体情報ファイルを統合管理する管理テーブルファイルをルートディレクトリに作成するなどの方法や、第２の記憶媒体１０３をコンピュータから参照する際に見やすいように、媒体種類を前記フォルダ名に、その下の階層では日付をフォルダ名にし、そのフォルダ内にコンテンツを保存する方法などもある。
【００５０】
また、本実施形態に係る復元用転送装置２０９は、図１０に示すように、複数の第３の記憶媒体１０８の種類に対応するために、複数のインタフェース２１１ａ，２１１ｂを備えるとともに、このインタフェース２１１ａ，２１１ｂより媒体種別識別情報を取得する媒体種別情報取得部２１３を備えている。
【００５１】
また、インタフェース１１２を介して第２の記録媒体１０３より読み出されたコンテンツを、インタフェース２１１ａ，２１１ｂに切換出力する切換部２１８を備えている。
【００５２】
ここで、第３の記憶媒体１０８をインタフェース２１１ａに挿入すると、このインタフェース２１１ａを介して媒体種別情報取得部２１３に信号が送られる。媒体種別情報取得部２１３は、種別固有の情報を情報検索部１１４に送信する。
【００５３】
情報検索部１１４は、インタフェース１１２を介して第２の記憶媒体１０３に記録されているコンテンツのリストを生成し、ユーザインタフェース１１５を介してユーザに提示する。その際に、種別情報を用いて復元コンテンツとして適当であるものを優先的に、もしくは限定して提示し、ユーザの選択を支援する。
【００５４】
例えば、MP3形式音楽データ再生機器用のメモリースティックに保存されたMP3データと、PCM形式音楽データ再生機器用のコンパクトフラッシュ（登録商標）に保存されたPCMデータとを、保存用転送装置２０２により第２の記憶媒体１０３に保存したものとする。
【００５５】
ユーザが復元用転送装置２０９にメモリースティックを挿入した場合、ユーザが誤って前者の再生機器では再生できないPCMデータを選択しないように、図１３に示すように、メモリースティックに保存されたデータが優先的にユーザインタフェースにリストアップされる。
【００５６】
ユーザはユーザインタフェース１１５を介して復元コンテンツを選択し、情報検索部１１４に通知する。通知を受けた情報検索部１１４は、選択されたコンテンツを第２の記憶媒体１０３よりインタフェース１１２を介して読み出し、出力先を切換部２１８で指定して、この場合はインタフェース２１１ａを介して第３の記憶媒体１０８に書き出す。
【００５７】
尚、検索支援機能は媒体種別の他に媒体容量や保存日時、コンテンツ種別などから判断して、様々なプライオリティをつけることにより検索性能を向上することも可能である。
【００５８】
例えば、同一の媒体種別の中で容量も等しく最終アクセス日時が最新であるものを最も優先的に表示し、媒体の容量よりもコンテンツの情報量が大きいものは選択できないように制御するなどの機能を実装することが考えられる。
【００５９】
次に、本発明の第３実施形態として、媒体判別機能付き転送装置について、図１４乃至図１７とともに説明するが、上記第１実施形態と同一部分には同一符号を付し、その説明は省略する。
【００６０】
ここで、図１４及び図１５は本実施形態の転送装置のシステム構成を示す概略構成図、図１６は本実施形態における復元時のユーザインタフェースの例を示す説明図、図１７は本実施形態においてユーザの選択を規制する例を示す説明図である。
【００６１】
本実施形態に係る保存用転送装置３０２は、図１４に示すように、インタフェース１０４を介して第１の記憶媒体１０１より媒体固有情報を取得する媒体固有情報取得部３０６を備えている。すなわち、第１の記憶媒体１０１をインタフェース１０４に挿入すると、このインタフェース１０４を介して媒体固有情報取得部３０６に媒体固有情報が送られる。
【００６２】
ここでの媒体固有情報としては、例えば記憶媒体１０１固有のシリアル番号、ボリューム名、製造年月日、またその組み合わせなどが考えられる。
【００６３】
同時に、インタフェース１０４を介して第１の記憶媒体１０１からコンテンツを読み出し、情報関連付け部１０７に送信する。媒体固有情報取得部１０６は、媒体固有情報を情報関連付け部１０７に送信する。
【００６４】
情報関連付け部１０７では、媒体固有情報とコンテンツとを関連付けて、例えば同一のフォルダに保存する情報に変換するなどして、インタフェース１０５に送信し、このインタフェース１０５によって第３の記憶媒体１０３に書き出す。
【００６５】
また、本実施形態に係る復元用転送装置３０９は、図１５に示すように、インタフェース１１１を介して第３の記憶媒体１０８より媒体固有情報を取得する媒体固有情報取得部３１３を備えている。すなわち、第３の記憶媒体１０８をインタフェース１１１に挿入すると、このインタフェース１１１を介して媒体固有情報取得部３１３に媒体固有情報が送られる。
【００６６】
媒体固有情報取得部３１３は、媒体固有情報を情報検索部１１４に送信する。情報検索部１１４は、インタフェース１１２を通じて第２の記憶媒体１０３に記録されているコンテンツのリストを生成し、ユーザインタフェース１１５を通じてユーザに提示する。
【００６７】
その際に、種別固有情報を用いて復元コンテンツとして適当であるものを優先的に、もしくは限定して提示し、ユーザの選択を支援、規制する。例えば、ユーザインタフェース１１５には、図１６に示すように、各コンテンツに対して通し番号、使用容量、容量、保存日時が併せて表示されている。
【００６８】
また、保存時に入力手段を実装していれば、ユーザの入力によるコメントを付加することもできる。図１６に示した例では、挿入された媒体と以前保存されたコンテンツの媒体固有情報、例えば識別番号が等しい保存コンテンツ001、003が太字で表示され、選択可能であることを明示している。さらに、選択できないファイルを表示しないことで、秘匿性を向上することもできる。
【００６９】
ユーザはユーザインタフェース１１５を通じて復元コンテンツを選択し、情報検索部１１４に通知する。通知を受けた情報検索部１１４は、選択されたコンテンツを第２の記憶媒体１０３よりインタフェース１１２、１１１を介して第３の記憶媒体１０８に書き出す。
【００７０】
ユーザの選択を規制する例を、図１７とともに説明する。保存用転送装置３０２を用いて、姉がディスク１０１ａの保存を、弟がディスク１０１ｂ，１０１ｃの保存を、第２の記憶媒体１０３に行った場合を考える。
【００７１】
その後、弟がコンテンツを復元するために、復元用転送装置３０９にディスク１０８を挿入する。ただし、ディスク１０８はディスク１０１ｂと同一のディスクである。
【００７２】
復元用転送装置３０９は、挿入されたディスク１０８の媒体固有情報から復元可能なコンテンツをユーザに明示する。この例では、復元可能なコンテンツとは、識別番号などの媒体固有情報が同一であるものを指している。
【００７３】
この時、姉が保存したコンテンツは媒体固有情報が異なるためリストアップされず、姉のコンテンツが弟に参照されることはない。また、各コンテンツを保存する際に、暗号化などの処理を行うことで、第２の記憶媒体１０３がコンピュータで読み出せる媒体であっても、その内容を容易に見ることはできないようにすることが可能である。
【００７４】
次に、本発明の第４実施形態として、携帯電話情報保存転送装置について、図１８及び図１９とともに説明するが、上記第１実施形態と同一部分には同一符号を付し、その説明は省略する。ここで、図１８及び図１９は本実施形態の転送装置のシステム構成を示す概略構成図である。
【００７５】
本実施形態に係る保存用転送装置５０２は、図１８に示すように、第１の記憶媒体を内蔵した携帯電話５０１が接続されるインタフェース５０４と、このインタフェース５０４を介して携帯電話５０１固有の情報、例えば自機電話番号を取得する自機電話番号取得部５０６とを備えている。
【００７６】
すなわち、携帯電話５０１をインタフェース５０４に接続すると、このインタフェース５０４を介して自機電話番号取得部５０６に自機電話番号が送られる。尚、携帯電話５０１固有の情報としては、自機の電話番号でなくても、例えばシリアル番号などを利用しても良い。
【００７７】
また、インタフェース５０４を介して携帯電話５０１から電話帳、着信メロディ、画像などのコンテンツを読み出し、情報関連付け部１０７に送信する。自機電話番号取得部５０６は、自機電話番号を情報関連付け部１０７に送信する。
【００７８】
情報関連付け部１０７では、自機電話番号とコンテンツとを関連付けて、例えば同一のフォルダに保存するファイルに自機電話番号を記録するなどして、インタフェース１０５を介して第２の記憶媒体１０３に書き出す。
【００７９】
また、本実施形態に係る復元用転送装置５０９は、図１９に示すように、インタフェース５１１を介して第３の記憶媒体を内蔵した携帯電話５０８より、携帯電話５０８固有の情報、例えば自機電話番号を取得する自機電話番号取得部５１３を備えている。
【００８０】
すなわち、携帯電話５０８をインタフェース５１１に接続すると、このインタフェース５１１から自機電話番号取得部５１３に自機電話番号が送られる。自機電話番号取得部５１３は、自機電話番号を情報検索部１１４に送信する。
【００８１】
情報検索部１１４は、インタフェース１１２を通じて第２の記憶媒体１０３に記録されているコンテンツのリストを生成し、ユーザインタフェース１１５を通じてユーザに提示する。
【００８２】
その際に、復元コンテンツと関連付けて保存されている電話番号を参照して、自機電話番号と同一の電話番号であるコンテンツを復元コンテンツとして適当であると判断し限定して提示する。
【００８３】
ユーザはユーザインタフェース１１５を通じて復元コンテンツを選択し、情報検索部１１４に通知する。通知を受けた情報検索部１１４は、インタフェース１１２を通じて第２の記憶媒体１０３より選択されたコンテンツを読み出し、インタフェース５１１により携帯電話５０６に書き出す。
【００８４】
尚、ユーザインタフェース１１５に代替する手段を、携帯電話５０８に実装しても良い。
【００８５】
上記のようなシステムを実現することで、個人の電話帳の複製を禁止し、有償のコンテンツ、例えば有償で配信された着信メロディなどを他のユーザに不正に複製させることを禁止することができる。また、ユーザが機種変更を行っても、電話番号をそのまま移行した場合、変更後も同一のコンテンツに対してアクセスが可能となる。
【００８６】
次に、本発明の第５の実施形態として、保存用転送装置で生成した固有情報を利用して媒体を判別するものについて、図２０とともに説明するが、上記第１実施形態と同一部分には同一符号を付し、その説明は省略する。ここで、図２０は本実施形態におけるコンテンツ保存用転送装置の一例を示す概略構成図である。
【００８７】
本実施形態においては、コンテンツ保存用転送装置６０２にて第１の記録媒体１０１に含まれるコンテンツの第２の記録媒体１０３への保存操作を行う際に、媒体識別情報生成部６０６により識別情報を生成し、インターフェース１０４を介して第１の記録媒体１０１に書き込むとともに、情報関連付け部１０７にも送信する。
【００８８】
そして、第１の記録媒体１０１から読み出されたコンテンツは、情報関連付け部１０７により識別情報と関連付けられ、インターフェース１０５を通じて第２の記録媒体１０３に記録される。
【００８９】
ここで、媒体識別情報生成部６０６で生成される識別情報は、広い空間で固有であるためにネットワークを通じて発行される固有情報であったり、このコンテンツ保存用転送装置６０２とコンテンツ復元用転送装置１０９とに関連する空間であるための固有情報であったり、またユーザの活動空間で固有であるためにユーザが任意に入力した識別子であったり、それらを組み合わせることにより得られる識別情報であっても良い。
【００９０】
尚、媒体識別情報生成部６０６は、コンテンツ復元用転送装置１０９の媒体識別情報取得部１１３と共通のルールを有する必要があることは言うまでもない。これは、事前に決められたルールを適用したり、或いは両転送装置に通信手段を具備することで実現することが可能である。
【００９１】
例えば、コンテンツ保存用転送装置６０２において、次のような識別情報生成ルールを設定したとする。ここでは、識別情報は全体を６文字とし、前２文字は装置情報、中２文字はユーザ情報、後２文字は固有値とする。まず、保存用転送装置の初期設定としてアルファベット２文字を設定する。ここでは「ＳＨ」とする。
【００９２】
次に、媒体識別情報生成部６０６に用意された２桁のカウンタを設定する。初期値は「０１」とし、保存を行う毎に１ずつインクリメントする。また、保存操作を行うユーザからの入力によりアルファベット２文字を設定する。ここでは「ＨＫ」とする。これらを組み合わせたものを識別情報とすると、１回目の保存操作で用意される識別情報は「ＳＨＨＫ０１」となる。
【００９３】
この識別情報を保存元となる第１の記録媒体１０１に記録し、保存されるコンテンツに関連付けて第２の記録媒体１０３に記録する。この例に示されるルールがケーブルなどを介してコンテンツ保存用転送装置６０２からコンテンツ復元用転送装置１０９へ送られる。
【００９４】
コンテンツ復元用転送装置１０９は、コンテンツに関連付けられた識別情報の前２文字を参照することにより、どのコンテンツ保存用転送装置で保存されたコンテンツかを判断するとともに、中２文字を参照することにより、どのユーザが保存したコンテンツかを判断することができる。その結果、ユーザがコンテンツを選択する際の絞り込みの条件を増やすことが可能である。
【００９５】
また、媒体識別情報生成部６０６で生成される識別情報として、コンテンツの組み合わせを判別することができる情報を用いても良い。例えば第１の記録媒体１０１に含まれる保存対象となる全てのファイルのフルパスファイル名やサイズを読み出し、これをそのまま識別情報、または識別情報の一部として保存時間と合わせて、両媒体に記録する。
【００９６】
その結果、復元時に第２の記録媒体１０３に記録されたコンテンツを参照することなく、識別情報のみでコンテンツを判別することが可能となり、復元先である第３の記録媒体１０８に既に含まれているファイルを復元するといった不要な操作や更新されているファイルに古いファイルを上書きするといった誤った操作を抑制することができる。
【００９７】
さらに、保存時にも第１の記録媒体１０１に記録されている識別情報を判定することで、２度同じコンテンツを保存するなどの不要な操作を防止することが可能となる。この方式は、特に第２の記憶媒体にコンテンツを保存する際に圧縮が行われる場合などに効果を発揮し、圧縮されたコンテンツから各ファイルの情報を読み出すために必要な解凍処理が不要となる。
【００９８】
尚、上述した各実施形態の復元用転送装置においては、第３の記憶媒体が挿入、接続された後に、ユーザインターフェース１１５によるユーザの入力を待っているが、ユーザが所望の復元コンテンツを選択した後に、必要な第３の記憶媒体の挿入を促すものであっても良い。さらに、複数の識別情報を組み合わせた複合識別情報を生成することにより、識別情報が固有である可能性を上げるようにしても良い。
【００９９】
【発明の効果】
本発明のコンテンツ復元用転送装置は、上述したような構成としているので、記録媒体に保存されているコンテンツを復元する際に、記録媒体を識別可能な情報を利用することにより、復元するコンテンツの検索を容易にすることが可能となり、コンテンツユーザの操作を軽減することができる。
【０１００】
また、検索の支援に限らず、個人所有の記録媒体にのみ復元可能にするコンテンツ管理を実現することができ、その結果、他のユーザには参照できないコンテンツを保存することが可能となるので、個人情報を保護することができる。同様に、特定の記録媒体以外には復元させないことにより、複製の制限を実現することも可能である。
【図面の簡単な説明】
【図１】本発明の第１実施形態に係るコンテンツ保存用転送装置の一例を示す概略構成図である。
【図２】本発明の第１実施形態に係るコンテンツ復元用転送装置の一例を示す概略構成図である。
【図３】本発明の第１実施形態に係るコンテンツ保存／復元用転送装置（変形実施例）を示す概略構成図である。
【図４】本発明の第１実施形態に係るコンテンツ保存転送処理の一例を示すフローチャートである。
【図５】本発明の第１実施形態に係るコンテンツ復元転送処理の一例を示すフローチャートである。
【図６】本発明の第１実施形態に係るコンテンツ保存用転送装置の他の例を示す概略構成図である。
【図７】本発明の第１実施形態に係るコンテンツ保存用転送装置の他の例におけるコンテンツ保存時のユーザインタフェースのディスプレイ遷移を示す説明図である。
【図８】本発明の第１実施形態に係るコンテンツ保存用転送装置の他の例におけるコンテンツ復元作業の遷移を示す説明図である。
【図９】本発明の第２実施形態に係るコンテンツ保存用転送装置を示す概略構成図である。
【図１０】本発明の第２実施形態に係るコンテンツ復元用転送装置を示す概略構成図である。
【図１１】本発明の第２実施形態で用いる媒体種別情報の例を示す説明図である。
【図１２】本発明の第２実施形態において第２の記憶媒体に保存される情報の例を示す説明図である。
【図１３】本発明の第２実施形態におけるコンテンツ復元時のユーザインタフェースの例を示す説明図である
【図１４】本発明の第３実施形態に係るコンテンツ保存用転送装置を示す概略構成図である。
【図１５】本発明の第３実施形態に係るコンテンツ復元用転送装置を示す概略構成図である。
【図１６】本発明の第３実施形態におけるコンテンツ復元時のユーザインタフェースの例を示す説明図である。
【図１７】本発明の第３実施形態においてユーザの選択を規制する例を示す説明図
【図１８】本発明の第４実施形態に係るコンテンツ保存用転送装置を示す概略構成図である。
【図１９】本発明の第４実施形態に係るコンテンツ復元用転送装置を示す概略構成図である。
【図２０】本発明の第５実施形態に係るコンテンツ保存用転送装置を示す概略構成図である。
【符号の説明】
１０１  第１の記憶媒体
１０２、１２２、２０２、３０２、５０２、６０２  コンテンツ保存用転送装置
１０３  第２の記憶媒体
１０４、１０５、１１１、１１２、２０４、２１１、５０４、５１１  インターフェース
１０６、１１３  媒体識別情報取得部
１０７  情報関連付け部
１０８  第３の記憶媒体
１０９、２０９、３０９、５０９  コンテンツ復元用転送装置
１１４  情報検索部
１１５、１２５  ユーザインターフェース
２０６、２１３  媒体種別情報取得部
３０６、３１３  媒体固有情報取得部
５０１、５０８  携帯電話
５０６、５１３  自機電話番号取得部
６０６  媒体識別情報生成部
【図１】
0004606654.tif 000002
【図２】
0004606654.tif 000003
【図３】
0004606654.tif 000004
【図４】
0004606654.tif 000005
【図５】
0004606654.tif 000006
【図６】
0004606654.tif 000007
【図７】
0004606654.tif 000008
【図８】
0004606654.tif 000009
【図９】
0004606654.tif 000010
【図１０】
0004606654.tif 000011
【図１１】
0004606654.tif 000012
【図１２】
0004606654.tif 000013
【図１３】
0004606654.tif 000014
【図１４】
0004606654.tif 000015
【図１５】
0004606654.tif 000016
【図１６】
0004606654.tif 000017
【図１７】
0004606654.tif 000018
【図１８】
0004606654.tif 000019
【図１９】
0004606654.tif 000020
【図２０】
0004606654.tif 000021